(57)【要約】【課題】ユーザーの顔に骨伝導スピーカーを確実に接触させることが可能な撮像装置を提供する。【解決手段】撮像装置（１）は、カメラ本体（１００）と、被写体像を視認するための接眼部（２００）と、被写体像の光を通過させる開口（２０２）が形成された枠部材（２０１）とを有し、接眼部（２００）は、骨伝導スピーカー（２０６）を有する。【選択図】図１
2020181036.tif 000002
【特許請求の範囲】
【請求項１】
カメラ本体と、
被写体像を視認するための接眼部と、
前記被写体像の光を通過させる開口が形成された枠部材と、を有し、
前記接眼部は、骨伝導スピーカーを有することを特徴とする撮像装置。
【請求項２】
前記接眼部は、前記撮像装置のファインダ光軸中心の周りに回転可能であることを特徴とする請求項１に記載の撮像装置。
【請求項３】
前記骨伝導スピーカーは、前記撮像装置が正位置状態にある場合、前記開口の上側に配置されていることを特徴とする請求項１または２に記載の撮像装置。
【請求項４】
前記骨伝導スピーカーは、前記撮像装置が正位置状態にある場合、前記開口の左側に配置された第１のスピーカーと、前記開口の右側に配置された第２のスピーカーを含むことを特徴とする請求項１または２に記載の撮像装置。
【請求項５】
前記第１のスピーカーおよび前記第２のスピーカーの一方の位置に基づいて、前記第１のスピーカーおよび前記第２のスピーカーの他方の位置を変化させる連動機構部を更に有すること特徴とする請求項４に記載の撮像装置。
【請求項６】
前記第１のスピーカーおよび前記第２のスピーカーの少なくとも一方の位置を検出する検出手段と、
前記検出手段からの信号に基づいて、前記第１のスピーカーおよび前記第２のスピーカーの少なくとも一方の振動を制御する制御手段と、を更に有することを特徴とする請求項４または５に記載の撮像装置。
【請求項７】
前記骨伝導スピーカーは、前記撮像装置が正位置状態にある場合、前記開口の上側に配置された第１のスピーカー、前記開口の左側に配置された第２のスピーカー、および、前記開口の右側に配置された第３のスピーカーを含むことを特徴とする請求項１または２に記載の撮像装置。
【請求項８】
前記第１のスピーカーと前記撮像装置のファインダ光軸中心との間の第１の距離、前記第２のスピーカーと前記ファインダ光軸中心との間の第２の距離、および、前記第３のスピーカーと前記ファインダ光軸中心との間の第３の距離は、互いに等しいことを特徴とする請求項７に記載の撮像装置。
【請求項９】
前記第１のスピーカーは、前記撮像装置の横方向において、前記撮像装置のファインダ光軸中心と同一の位置に配置されており、
前記第２のスピーカーおよび前記第３のスピーカーは、前記撮像装置の縦方向において、前記ファインダ光軸中心と同一の位置に配置されていることを特徴とする請求項７または８に記載の撮像装置。
【請求項１０】
前記撮像装置の位置を検出する検出手段と、
前記骨伝導スピーカーの振動を制御する制御手段と、を更に有し、
前記制御手段は、
前記検出手段により前記撮像装置が正位置状態であると検出された場合、前記第１のスピーカーを振動させ、
前記検出手段により前記撮像装置が縦位置状態であると検出された場合、前記縦位置状態において上側に位置する前記第２のスピーカーまたは前記第３のスピーカーを振動させることを特徴とする請求項７乃至９のいずれか一項に記載の撮像装置。
【請求項１１】
前記接眼部は、骨伝導部と遮光壁部とを有し、
前記骨伝導部は、前記骨伝導スピーカーと前記骨伝導スピーカーを保護する保護部材とを有し、
前記遮光壁部は、前記開口に前記光が入射しないように遮光することを特徴とする請求項１乃至１０のいずれか一項に記載の撮像装置。
【請求項１２】
前記骨伝導部は、ユーザーが前記被写体像を視認する際に、前記ユーザーの目の上部に接触し、前記撮像装置から音声情報を前記ユーザーに伝達可能に構成されていることを特徴とする請求項１１に記載の撮像装置。
【請求項１３】
撮像装置に着脱可能なアクセサリであって、
被写体像を視認するための接眼部と、
前記被写体像の光を通過させる開口が形成された枠部材と、を有し、
前記接眼部は、骨伝導スピーカーを有することを特徴とするアクセサリ。
【発明の詳細な説明】
【技術分野】
【０００１】
本発明は、骨伝導スピーカーを備えた撮像装置に関する。
【背景技術】
【０００２】
骨伝導とは、音の振動を頭蓋骨などを通して聴覚神経に伝え、言葉や音を聞ける技術である。通話中に周りで大きな騒音がある場合や、耳の不自由な人でも音が聞こえるため、一部の携帯電話やヘッドセットに骨伝導技術が採用されている。
【０００３】
撮像装置は、操作の説明や合焦状態を知らせる合焦音などの情報を音声でユーザーに伝える機能を有する。従来、スピーカーなどの気道音を用いてユーザーに音声を伝える音声出力手段を備えた撮像装置では、周囲に音を伝えたくない環境において、音量を下げるか、または消音にするなどの対応が必要となり、ユーザーに確実に音声情報を伝え得ることが困難であった。そこで、例えば特許文献１には、骨伝導スピーカーを備えたビデオカメラが開示されている。
【先行技術文献】
【特許文献】
【０００４】
【特許文献１】特開平５−４８９４１号公報
【発明の概要】
【発明が解決しようとする課題】
【０００５】
しかしながら、特許文献１に開示されたビデオカメラでは、ファインダから離れたカメラ部またはＶＴＲ部の側面に骨伝導スピーカーを配置しているため、ユーザーの顔の大きさや形状によっては顔に骨伝導スピーカーを確実に接触させることが困難である。
【０００６】
そこで本発明は、ユーザーの顔に骨伝導スピーカーを確実に接触させることが可能な撮像装置およびアクセサリを提供することを目的とする。
【課題を解決するための手段】
【０００７】
本発明の一側面としての撮像装置は、カメラ本体と、被写体像を視認するための接眼部と、前記被写体像の光を通過させる開口が形成された枠部材とを有し、前記接眼部は、骨伝導スピーカーを有する。
【０００８】
本発明の他の側面としてのアクセサリは、撮像装置に着脱可能なアクセサリであって、接眼部と、被写体像の光を通過させる開口が形成された枠部材とを有し、前記接眼部は、骨伝導スピーカーを有する。
【０００９】
本発明の他の目的及び特徴は、以下の実施例において説明される。
【発明の効果】
【００１０】
本発明によれば、ユーザーの顔に骨伝導スピーカーを確実に接触させることが可能な撮像装置およびアクセサリを提供することができる。
【図面の簡単な説明】
【００１１】
【図１】実施例１における撮像装置の斜視図である。
【図２】実施例１におけるアイカップの斜視図である。
【図３】実施例１におけるアイカップの分解斜視図である。
【図４】実施例１におけるフレキシブルプリント基板の説明図である。
【図５】実施例１において、Ｘ＝０の位置でのＹＺ平面のアイカップの断面図である。
【図６】図５中の領域Ａの拡大図である。
【図７】実施例１におけるアイカップをカメラ本体側から見た斜視図である。
【図８】実施例１において、正位置状態および縦位置状態の各姿勢でのカメラ本体とアイカップとの関係を示す図である。
【図９】実施例１において、正位置状態および縦位置状態の各姿勢でのアイカップをカメラ本体側から見た図である。
【図１０】実施例１における回転を規制するための構成の説明図である。
【図１１】実施例２におけるアイカップの斜視図である。
【図１２】実施例２におけるアイカップの分解斜視図である。
【図１３】実施例２における連動機構部の詳細図である。
【図１４】実施例２における連動機構部の上面図である。
【図１５】実施例２におけるアイカップの正面図である。
【図１６】図１５中における線Ａ−Ａおよび線Ｂ−Ｂに沿った断面図である。
【図１７】右目で覗いた場合における図１６に相当する断面図である。
【図１８】左目で覗いた場合における図１６に相当する断面図である。
【図１９】実施例３におけるアイカップの斜視図である。
【図２０】実施例３において、正位置状態および縦位置状態の各姿勢でのカメラ本体とアイカップとの関係を示す図である。
【図２１】実施例３におけるアイカップの正面図である。
【発明を実施するための形態】
【００１２】
以下、本発明の実施例について、図面を参照しながら詳細に説明する。
【実施例１】
【００１３】
まず、図１を参照して、本発明の実施例１における撮像装置について説明する。図１は、撮像装置１の斜視図である。撮像装置１は、カメラ本体１００と、カメラ本体１００に取り付けられたアイカップ（アクセサリ）１０１とを備えて構成される。アイカップ１０１は、カメラ本体１００に対して着脱可能である。すなわち、カメラ本体１００は互換性のある他のアイカップを装着可能であり、アイカップ１０１は互換性のある他のカメラ本体に装着可能である。カメラ本体１００およびアイカップ１０１にはそれぞれ接点部が設けられており、接点部同士が接触することで導通し、カメラ本体１００からアイカップ１０１への情報伝達が可能である。なお、アイカップ１０１の接点部の構成の詳細については、後述する。
【００１４】
次に、図２を参照して、アイカップ１０１の構成について説明する。図２は、アイカップ１０１の斜視図である。図２において、一点鎖線は、ファインダ光軸（ファインダ光軸中心）ＯＡを示している。また、以下の説明のために、図２に示されるようにＸＹＺ軸を定義する。ファインダ光軸ＯＡをＺ軸、ファインダ光軸ＯＡ（Ｚ軸）に垂直な左右方向の軸をＸ軸、Ｚ軸に垂直な上下方向の軸をＹ軸とする。各軸の＋方向はそれぞれ図２に示される矢印の向きとし、ＸＹ軸の原点はファインダ光軸ＯＡ上の点である。
【００１５】
アイカップ１０１は、被写体像を視認するための接眼部２００と、枠部材２０１とを有する。接眼部２００は、骨伝導部２０３と遮光壁部２０４とを備えて構成されている。枠部材２０１には、ユーザーがファインダ像を確認するため、被写体像の光を通過させる開口部（開口）２０２が形成されている。
【００１６】
本実施例において、骨伝導部２０３は、開口部２０２の上部（上側）に配置されている。骨伝導部２０３は、ユーザーが被写体像を視認する際に、ユーザーの目の上部に接触し、カメラ本体１００から音声情報をユーザーに伝達可能に構成されている。これによりユーザーは、ファインダ像を確認する際に、目の上部を骨伝導部２０３に接触させることで、カメラ本体１００からの音声情報を入手することができる。
【００１７】
遮光壁部２０４は、撮影の際に開口部２０２に光が入射しないように遮光する。骨伝導部２０３は、遮光壁部２０４よりも＋Ｚ方向に凸となるように構成されている。これにより、ユーザーがファインダを覗いたときに遮光壁部２０４よりも先に骨伝導部２０３がユーザーに対して接触することが可能となる。
【００１８】
次に、図３乃至図７を参照して、アイカップ１０１の構成について詳述する。図３は、アイカップ１０１の分解斜視図である。図４は、フレキシブルプリント基板２０５の説明図である。図５は、Ｘ＝０の位置でのＹＺ平面のアイカップ１０１の断面図である。図６は、図５中の領域Ａの拡大図である。図７は、アイカップ１０１をカメラ本体１００側から見た斜視図である。
【００１９】
骨伝導部２０３は、フレキシブルプリント基板２０５に実装された頭蓋骨に振動を与えることで音を認識させる骨伝導スピーカー２０６と、骨伝導スピーカー２０６を保護するための弾性部材で形成された保護キャップ（保護部材）２０７とで構成されている。骨伝導部２０３は、フレキシブルプリント基板２０５が収納されるフレキ収納部２０９を有するホルダー２０８により、ＸＹ方向が規制された状態で固定される。
【００２０】
図４は、カメラ本体１００側から見たフレキシブルプリント基板２０５の概要を示している。フレキシブルプリント基板２０５には、正位置に対応する接点パターン２２３Ａ、および、縦位置に対応する接点パターン２２３Ｂ、２２３Ｃの３か所の接点パターン２２３が設けられている。接点パターン２２３Ａ、２２３Ｂ、２２３Ｃは、Ｚ軸から略等距離に配置されている。ここで、「Ｚ軸に関して略等距離」とは、Ｚ軸から厳密に等しい距離である場合に限定されるものではなく、実質的にＺ軸から等しいと評価される距離（略等距離）を含む意味である。この点は、以下の説明でも同様である。接点パターン２２３Ａを通るＺ軸に直交する直線は、接点パターン２２３Ｂを通りＺ軸に直交する直線と、接点パターン２２３Ｃを通りＺ軸に直交する直線とに対してそれぞれ直角関係にある。
【００２１】
フレキシブルプリント基板２０５の骨伝導スピーカー２０６の裏面には、付勢バネ２１１を受ける補強板２２４が設けられている。骨伝導部２０３は、ホルダー２０８のバネ収納部２１０に配置された付勢バネ２１１により、＋Ｚ方向に付勢される。骨伝導部２０３のＺ方向は遮光壁部２０４により位置が規制されるが、ユーザーが骨伝導部２０３を押し付けるとＺ方向の位置が微小に変動する構成となっている。ベース２１２は、カメラ本体１００に取り付けるための爪部２１３を有する。
【００２２】
接点２１４は、ベース２１２とカバー２１６とに挟まれて固定されている。接点２１４は、ホルダー２０８の穴部２２２とベース２１２の穴部２１５とを貫通して、フレキシブルプリント基板２０５の接点パターン２２３と電気的に接続している。また接点２１４は、カバー２１６の穴部２１７を貫通して、カメラ本体１００の接点部（不図示）と電気的に接続している。これにより、フレキシブルプリント基板２０５の接点パターン２２３とカメラ本体１００の接点部は、接点２１４を介して導通する。
【００２３】
図３に示されるように、アイカップ１０１は、保持部２１８と取付部２１９とで構成される。保持部２１８は、枠部材２０１、骨伝導部２０３、遮光壁部２０４、付勢バネ２１１、および、ホルダー２０８を備えて構成される。取付部２１９は、ベース２１２、接点２１４、および、カバー２１６を備えて構成される。ホルダー２０８に設けられた円形の内壁部２２０とベース２１２に設けられた円形の壁部２２１とは、嵌合関係となっており、保持部２１８（すなわち接眼部２００）および取付部２１９は、Ｚ軸周り、すなわちファインダ光軸ＯＡの周りに回転可能である。
【００２４】
図６に示されるように、接点２１４は、筒部２２６および軸部２２８を有する。筒部２２６は、フレキシブルプリント基板２０５の接点パターン２２３に接触する球面状の凸部２２５を有する。軸部２２８は、カメラ本体１００の接点部に接触する球面状の凸部２２７を有する。筒部２２６の内部には、筒部２２６と軸部２２８とをＺ方向に相反する方向に付勢するバネ２２９が設けられている。バネ２２９により、接点２１４は、フレキシブルプリント基板２０５の接点パターン２２３とカメラ本体１００の接点部とを確実に導通可能とする。
【００２５】
図７に示されるように、ホルダー２０８は、爪部２３０Ａ、２３０Ｂ、２３０Ｃ、２３０Ｄ、２３０Ｅを有する。ベース２１２は、外周円弧部２３１および円盤部２３２を有する。爪部２３０Ａ、２３０Ｂ、２３０Ｃ、２３０Ｄは、外周円弧部２３１に対向し、爪部２３０Ｅは円盤部２３２に対向し、保持部２１８が取付部２１９からＺ方向に離れないように規制している。
【００２６】
次に、図８乃至図１０を参照して、縦位置状態での撮像装置１の使用について説明する。図８は、正位置状態（横位置状態）および縦位置状態の各姿勢におけるカメラ本体１００とアイカップ１０１との関係を示す図である。図８（Ａ）は正位置状態、図８（Ｂ）は縦位置状態をそれぞれ示している。図８に示されるように、骨伝導部２０３の開口部２０２に対する位置はカメラ本体１００の姿勢によらず不変である。このためユーザーは、正位置状態でも縦位置状態でもファインダを覗いたときには顔の同じ位置に骨伝導部２０３があたる。
【００２７】
図９は、正位置状態および縦位置状態の各姿勢において、アイカップ１０１をカメラ本体１００側から見た図である。図９（Ａ）は図８（Ａ）と同じ姿勢の状態（正位置状態）、図９（Ｂ）は図８（Ｂ）と同じ姿勢の状態（縦位置状態）をそれぞれ示す。
【００２８】
前述のように、内壁部２２０と壁部２２１は、ファインダ光軸ＯＡを中心とした円嵌合関係にある。このため保持部２１８は、取付部２１９に対してファインダ光軸ＯＡの周りに回転する。このとき爪部２３０Ｄは、外周円弧部２３１から離れるが、爪部２３０Ａ、２３０Ｂ、２３０Ｃ、２３０Ｅにより、保持部２１８のＺ方向の位置は保持される。開口部２０２は略正方形であり、姿勢によって視野が狭くなることはない。
【００２９】
図１０は、回転を規制するための構成の説明図である。本実施例では、ホルダー２０８の穴部２２２（２２２Ａ、２２２Ｂ、２２２Ｃ）に接点２１４が入ることにより、回転が規制される。ユーザーが姿勢を変える際には、カメラ本体１００の回転に伴って接点２１４が回転しようとする。しかし、接点２１４の筒部２２６の凸部２２５が接点２１４のバネ２２９の付勢力に打ち勝ってホルダー２０８の傾斜部２３３を乗り越えることにより、回転規制が解除される。なお、前述はグリップを上にした縦位置状態について説明したが、グリップを下にした縦位置状態についても同様である。
【実施例２】
【００３０】
次に、図１１乃至図１８を参照して、本発明の実施例２について説明する。図１１は、本実施例におけるアイカップ（アクセサリ）３００の斜視図である。図１１において、実施例１と同様に、一点鎖線はファインダ光軸ＯＡ（ファインダ光軸中心）を示している。また、ファインダ光軸ＯＡをＺ軸とし、ファインダ光軸ＯＡであるＺ軸に垂直な左右方向の軸をＸ軸、Ｚ軸に垂直な上下方向の軸をＹ軸とする。各軸の＋方向はそれぞれ、図１１中に示される矢印の向きとする。
【００３１】
アイカップ３００の接眼部分は、枠部材３０１、骨伝導部３０３、３０、および、遮光壁部３０５で構成されている。枠部材３０１には、ユーザーがファインダ像を確認するための開口部（開口）３０２が形成されている。骨伝導部３０３、３０４は、開口部３０２を挟んで左右にそれぞれ配置されている。ユーザーは、ファインダ像を確認する際には、左右のどちらかの目の周りを骨伝導部３０３、３０４に接触させて使用することでカメラ本体１００からの音声情報を入手する。遮光壁部３０５は、撮影の際に開口部３０２に光が入射しないように遮光する。骨伝導部３０３、３０４は、遮光壁部３０５よりも＋Ｚ方向に凸となる構成となっている。これにより、ユーザーがファインダを覗いたときに遮光壁部３０５よりも先に骨伝導部３０３、３０４がユーザーに対して接触することが可能となる。
【００３２】
ユーザーの利き目が右目または左目のいずれかによって、ファインダを覗く顔の位置は異なる。しかし、本実施例のアイカップ３００では、開口部３０２を挟んで左右にそれぞれ骨伝導部３０３、３０４が配置されている。このため、左右どちらの目でファインダを覗いても、一方の骨伝導部は顔の鼻筋側の目頭付近、他方の骨伝導部は目尻付近に位置することになり、同じ位置から頭蓋骨へ振動が伝わる。
【００３３】
左右の骨伝導部３０３、３０４は、一方の骨伝導部が押し込まれると、他方の骨伝導部が出てくるシーソー構造を有する。図１２は、本実施例におけるアイカップ３００の分解斜視図である。実施例１と同様に、骨伝導部３０３、３０４は、フレキシブルプリント基板３１１に実装され、頭蓋骨に振動を与えることで音を認識させる骨伝導スピーカー３０８、３１０と、弾性部材で形成された保護キャップ（保護部材）３０７、３０９とで構成されている。本実施例において、骨伝導スピーカーは、撮像装置１が正位置状態にある場合、開口部３０２の左側に配置された骨伝導スピーカー（第１のスピーカー）３０８と、開口部３０２の右側に配置された骨伝導スピーカー（第２のスピーカー）３１０を含む。
【００３４】
フレキシブルプリント基板３１１に実装された骨伝導スピーカー３０８、３１０の背面側には、連動機構部３２０が配置されている。連動機構部３２０は、骨伝導スピーカー３０８、３１０の一方の位置に基づいて、骨伝導スピーカー３０８、３１０の他方の位置を変化させる。連動機構部３２０は、骨伝導スピーカー３０８、３１０、不図示の両面テープ等で固定して保持するベース部３２１、３２２、および、本体部３２３を有する。骨伝導スピーカー３０８、３１０は、ベース部３２１、３２２と一体となって可動する構造を有する。連動機構部３２０は、本体部３２３を−Ｚ方向へ付勢する板バネ３０６と＋Ｚ方向へ付勢する板バネ３１２とによる挟持構成である。また連動機構部３２０は、背面カバー３１３に保持されている。
【００３５】
接点３１４は、背面カバー３１３と接点カバー３１５とに挟まれて固定され、フレキシブルプリント基板３１１の接点パターン（不図示）と電気的に接続している。また接点３１４は、接点カバー３１５の孔３１６を貫通して、カメラ本体１００の接点部（不図示）と電気的に接続している。これにより、フレキシブルプリント基板３１１の接点パターン  とカメラ本体１００の接点部は、接点３１４を介して導通する。
【００３６】
図１３は、連動機構部３２０の詳細図である。連動機構部３２０のベース部３２１、３２２は、本体部３２３とそれぞれ軸３２５、３２６で連結されている。本体部３２３は、軸３２４に回転可能に保持されている。また本体部３２３は、軸３２５、３２６とそれぞれ回転可能に保持されている。ベース部３２１は、軸３２５に固定され、回転不可能に保持されている。同様に、ベース部３２２は、軸３２６に固定され、回転不可能に保持されている。
【００３７】
次に、図１４を参照して、連動機構部３２０の動作について説明する。図１４は、連動機構部３２０の上面図である。図１４（Ａ）は、本体部３２３が軸３２４を中心に回転していない状態を示す。図１４（Ｂ）は、図１４（Ａ）の状態からベース部３２２が押圧された状態を示している。ベース部３２２が押圧されて−Ｚ方向へ移動すると、本体部３２３は、軸３２４を中心に反時計周りに回転する。軸３２５は、本体部３２３に回転可能に保持され、ベース部３２１は軸３２５に対して可動するため、図１４（Ｂ）に示されるように、ベース部３２１は＋Ｚ方向へ移動する。図１４（Ｃ）は、前述と逆の動作を示す。図１４（Ａ）、（Ｂ）、（Ｃ）に示されるように、連動機構部３２０は、ベース部（保持部）３２１、３２２のいずれか一方が−Ｚ方向へ移動すると、ベース部３２１、３２２の他方がＺ方向へ移動するシーソーのような動きをする。ここで本体部３２３は、回転移動するため、厳密にはベース部３２１、３２２はＺ方向だけでなく、Ｘ方向にも移動する。しかし、Ｘ方向の移動量はＺ方向に対して微小なため簡略している。実際には、必要に応じて、軸３２５、３２６に回転可能に保持している本体部３２３の孔部を長穴にするなどで対応可能である。
【００３８】
次に、図１５乃至図１７を参照して、連動機構部３２０を内部に配置したアイカップ３００の骨伝導部３０３、３０４の動作について説明する。図１５は、アイカップ３００の正面図である。図１６（Ａ）は図１５中の線Ａ−Ａに沿った断面図、図１６（Ｂ）は図１５中の線Ｂ−Ｂに沿った断面図である。図１６（Ａ）に示されるように、骨伝導部３０３、３０４のいずれも押圧されていない状態において、本体部３２３は、板バネ３０６、３１２により前後から均等に付勢されている状態である。このため、骨伝導部３０３、３０４のＺ方向の位置は略同一である。
【００３９】
図１７（Ａ）、（Ｂ）は、図１６（Ａ）、（Ｂ）の断面図にそれぞれ相当し、ユーザーが左目でファインダを覗きこんだ場合の骨伝導部３０３、３０４の位置を示す図である。左目で覗いた場合、骨伝導部３０４は左目の目頭から鼻筋付近と接触し押圧され、−Ｚ方向へ移動する。このとき骨伝導部３０３は、連動機構部３２０を介して＋Ｚ方向に移動し、顔の目尻からこめかみ付近に確実に接触する。ユーザーがファインダから目を離すと、板バネ３０６、３１２の付勢力によって、図１６の位置に骨伝導部３０３、３０４は自動的に復帰する。
【００４０】
同様に、図１８（Ａ）、（Ｂ）は、ユーザーが右目でファインダを覗きこんだ場合の骨伝導部３０３、３０４の位置を示す図である。右目で覗く場合、左目で覗く場合と比べて、顔に接触する骨伝導部が逆になるだけである。すなわち、左右どちらの目でファインダを覗いても、確実に同じ箇所に骨伝導部３０３、３０４が接触する。ユーザーの顔の目頭から目尻の凹凸量は千差万別である。しかし、本実施例のようにシーソー構成を内部に配置することで、ユーザーによって目頭から目尻の凹凸量が変化しても、確実に骨伝導部３０３、３０４を接触させることが可能となる。
【００４１】
また、飛び出している一方の骨伝導部は、利き目によらず、顔のこめかみ部近傍に接触する。こめかみ部近傍に骨伝導部が接触しているほうが、確実に頭蓋骨に振動を伝え、音声を認識させることができる。そこで本実施例において、カメラ本体１００は、図１１に示されるように、検出手段（位置検出センサ）８０１および制御手段８０２を有していてもよい。検出手段８０１は、骨伝導スピーカー３０８、３１０の少なくとも一方の位置を検出する。制御手段８０２は、検出手段８０１からの信号に基づいて、骨伝導スピーカー３０８、３１０の少なくとも一方の振動を制御する。これにより、検出手段８０１は骨伝導部３０３、３０４のうち飛び出して接触している一方の骨伝導部を検出し、制御手段８０２は検出手段８０１の検出信号に基づいて振動する骨伝導部を制御することが可能である。こめかみ部近傍で接触しているため、確実に頭蓋骨に振動を伝えることができ、振動させる骨伝導部を二つよりも一つにしたほうが、電力的には有利である。
【実施例３】
【００４２】
次に、図１９乃至図２１を参照して、本発明の実施例３について説明する。図１９は、本実施例におけるアイカップ（アクセサリ）４００の斜視図である。図１９において、実施例１と同様に、一点鎖線はファインダ光軸ＯＡ（ファインダ光軸中心）を示している。また、ファインダ光軸ＯＡをＺ軸とし、ファインダ光軸ＯＡであるＺ軸に垂直な左右方向の軸をＸ軸、Ｚ軸に垂直な上下方向の軸をＹ軸とする。各軸の＋方向はそれぞれ、図１９に示される矢印の向きとする。
【００４３】
アイカップ４００の接眼部分は、枠部材４０１、骨伝導部４０３、４０４、４０５、および、遮光壁部４０６で構成されている。枠部材４０１には開口部（開口）４０２が形成されている。開口部４０２に対して、上側に骨伝導部４０３、左側に骨伝導部４０４、右側に４０５がそれぞれ配置されている。
【００４４】
図２０は、正位置状態および縦位置状態の各姿勢におけるカメラ本体１００とアイカップ４００との関係を示す図である。図２０（Ａ）は正位置状態、図２０（Ｂ）はカメラ本体１００のグリップが上に位置する第１の縦位置状態、図２０（Ｃ）はカメラ本体１００のグリップが下に位置する第２の縦位置状態をそれぞれ示している。なお、カメラ本体１００およびアイカップ４００にはそれぞれ接点部が設けられており、接点部同士が接触することで導通し、カメラ本体１００からアイカップ４００への情報伝達が可能である。
【００４５】
図２０（Ａ）に示される正位置状態の場合、ユーザーはファインダ像を確認する際には目の上部を骨伝導部４０３に接触させて使用することで、カメラ本体１００からの音声情報を入手する。図２０（Ｂ）に示される第１の縦位置状態の場合、ユーザーはファインダ像を確認する際には目の上部を骨伝導部４０５に接触させて使用することで、カメラ本体１００からの音声情報を入手する。図２０（Ｃ）に示される第２の縦位置状態の場合、ユーザーはファインダ像を確認する際には目の上部を骨伝導部４０４に接触させて使用することで、カメラ本体１００からの音声情報を入手する。
【００４６】
図２１は、本実施例におけるアイカップ４００の正面図である。骨伝導部４０３、４０４、４０５はそれぞれ、ファインダ光軸ＯＡであるＺ軸から距離（第１の距離、第２の距離、第３の距離）Ｌ１、Ｌ２、Ｌ３が互いに略等しくなるように配置されている。また、カメラ正位置状態で上側に配置される骨伝導部４０３は、そのＸ方向の位置がファインダ光軸ＯＡであるＺ軸と略同じ位置になるように配置されている。また、カメラ正位置状態で左右に配置される骨伝導部４０４、４０５は、そのＹ方向の位置がファインダ光軸ＯＡであるＺ軸と略同じ位置になるように配置されている。これにより、正位置状態および縦位置状態において、ユーザーの目の上部に接触する箇所がほぼ同じ個所となるため、ユーザーは安定して音声情報を入手することが可能となる。
【００４７】
このように本実施例のアイカップ４００は、正位置状態において開口部４０２の上側、右側、左側にそれぞれ配置された骨伝導部（第１のスピーカー）４０３、骨伝導部（第２のスピーカー）４０４、および、骨伝導部（第３のスピーカー）４０５を含む。好ましくは、骨伝導部４０３、４０４、４０５のそれぞれとファインダ光軸中心との間の距離（第１の距離、第２の距離、第３の距離）Ｌ１、Ｌ２、Ｌ３は、互いに略等しい。また好ましくは、骨伝導部４０３は、撮像装置の横方向（幅方向）において、ファインダ光軸中心と略同一の位置に配置されており、骨伝導部４０４、４０５は、撮像装置の縦方向（高さ方向）において、ファインダ光軸中心と略同一の位置に配置されている。
【００４８】
本実施例のカメラ本体１００は、カメラ本体１００の位置（正位置状態または横位置状態）を検出する検出手段（位置検出センサ）９０１、および、骨伝導スピーカー（骨伝導部４０３、４０４、４０５）の振動を制御する制御手段９０２を有していてもよい。制御手段９０２は、検出手段９０１によりカメラ本体１００が正位置状態（横位置状態）であると検出された場合、骨伝導部４０３を振動させる。一方、制御手段９０２は、検出手段９０１によりカメラ本体１００が縦位置状態であると検出された場合、縦位置状態において上側に位置する骨伝導部４０４または骨伝導部４０５を振動させる。このように本実施例において、カメラ本体１００は、検出手段９０１を有することにより、カメラ本体１００の位置を検出することができる。これにより、カメラ本体１００の位置に基づいて、少なくともユーザーの目の上部に接触する骨伝導部を常に駆動することが可能であり、ユーザーは安定して音声情報を入手することができる。また、ユーザーの目の上部に接触する骨伝導部のみを駆動し、他の骨伝導部を非駆動にすることも可能であり、その場合には省電力を図ることができる。
【００４９】
各実施例の構成によれば、確実にユーザーの顔の一部分に骨伝導部を接触させることが可能となる。このため各実施例によれば、ユーザーの顔に骨伝導スピーカーを確実に接触させることが可能な撮像装置およびアクセサリを提供することができる。
【００５０】
以上、本発明の好ましい実施形態について説明したが、本発明はこれらの実施形態に限定されず、その要旨の範囲内で種々の変形及び変更が可能である。
例えば、各実施例ではカメラ本体に対して着脱可能なアイカップに骨伝導スピーカーを配置する構成を説明したが、各実施例はカメラ本体に対して着脱不可なファインダユニットにも適用可能である。
【符号の説明】
【００５１】
１  撮像装置
１００  カメラ本体
２００  接眼部
２０１  枠部材
２０６  骨伝導スピーカー
【図１】
2020181036.tif 000003
【図２】
2020181036.tif 000004
【図３】
2020181036.tif 000005
【図４】
2020181036.tif 000006
【図５】
2020181036.tif 000007
【図６】
2020181036.tif 000008
【図７】
2020181036.tif 000009
【図８】
2020181036.tif 000010
【図９】
2020181036.tif 000011
【図１０】
2020181036.tif 000012
【図１１】
2020181036.tif 000013
【図１２】
2020181036.tif 000014
【図１３】
2020181036.tif 000015
【図１４】
2020181036.tif 000016
【図１５】
2020181036.tif 000017
【図１６】
2020181036.tif 000018
【図１７】
2020181036.tif 000019
【図１８】
2020181036.tif 000020
【図１９】
2020181036.tif 000021
【図２０】
2020181036.tif 000022
【図２１】
2020181036.tif 000023